(57)【要約】【課題】固定金具やネジを用いることなく棚を取付けることのできるショーケース及びその棚組立方法を提供する。【解決手段】厚さ方向に伸縮可能に構成した棚板３０の上面板３１及び下面板３２を圧縮した断熱材３３の復元力によって棚受４０の棚板保持部４１に当接させるようにしたので、棚板３０の上面板３１と下面板３２とを固定金具やネジによって固定することなく棚板３０を組立てることができ、部品点数及び組立工数の低減を図ることができる。また、棚受４０の幅方向の移動を規制するとともに、棚受４０を係止する幅方向一対の係止板１６をショーケース本体１０に設けたので、係止板１６に商品棚２０を係止することにより係止板１６によって棚受４０の幅方向の移動を規制することができ、ショーケース本体１０に商品棚２０を確実に取付けることができる。【選択図】図９
2006112644.tif 000002
【特許請求の範囲】
【請求項１】
上面板と下面板との間に断熱材を介在してなる棚板と、棚板の幅方向両端側を支持する棚受とを備え、各棚受をショーケース本体に取付けることにより棚板をショーケース本体の商品収納部内に配置するようにしたショーケースにおいて、
前記棚板の断熱材を厚さ方向に伸縮可能な断熱材によって形成し、
棚受には厚さ方向に圧縮した断熱材の復元力によって棚板の上面板及び下面板が上下方向に当接する棚板保持部を設けた
ことを特徴とするショーケース。
【請求項２】
前記ショーケース本体に、棚受に係止することにより棚受の幅方向の移動を規制する幅方向一対の係止板を設けた
ことを特徴とする請求項１記載のショーケース。
【請求項３】
前記棚板保持部を棚板の前後方向に沿って延びる断面コ字状の部材によって形成した
ことを特徴とする請求項１または２記載のショーケース。
【請求項４】
前記上面板または下面板の一方に、他方の所定部分に上下方向に当接することにより断熱材の所定量以上の圧縮を規制する当接部を設けた
ことを特徴とする請求項１または２記載のショーケース。
【請求項５】
上面板と下面板との間に断熱材を介在してなる棚板と、棚板の幅方向両端側を支持する棚受とを備え、棚受をショーケース本体に取付けることにより棚板をショーケース本体の商品収納部内に配置するようにしたショーケースの棚組立方法において、
前記棚板の上面板と下面板とを断熱材を厚さ方向に圧縮した状態で仮止めするとともに、
棚受に設けた上下一対の当接片間に棚板を挿入した後、
前記仮止めを解除して上面板及び下面板を各当接片に上下方向に当接させる
ことを特徴とするショーケースの棚組立方法。
【発明の詳細な説明】
【技術分野】
【０００１】
本発明は、スーパーマーケットやコンビニエンスストア等の店舗に設置されるショーケース及びその棚組立方法に関するものである。
【背景技術】
【０００２】
従来、この種のショーケースとしては、前面、背面及び左右両側面を透明なガラスによって囲まれた商品収納部と、商品収納部内に互いに上下方向に間隔をおいて設けられた複数の商品棚と、商品棚に設けられたヒータとを備え、ヒータによって各商品棚に載置された商品を加熱するようにしたものが知られている。
【０００３】
この商品棚は、商品が載置される棚板と、棚板の幅方向両端側を支持する棚受とから構成され、棚受によって棚板が商品収納部内に支持されている。また、棚板は、上面側及び下面側をそれぞれ上面板及び下面板によって形成し、その内部には、上面板の下面側に設けられたヒータと共にグラスウール等の断熱材を介在させたものが知られている（例えば、特許文献１参照）。
【特許文献１】特開２００４−６９２７５号公報
【発明の開示】
【発明が解決しようとする課題】
【０００４】
しかしながら、従来のショーケースでは、棚板を組立てる際に、上面板及び下面板を固定金具やネジ止めなどにより固定する必要があるため、部品点数及び組立工数が増加して製造コストが高くなるという問題点があった。
【０００５】
本発明は前記問題点に鑑みてなされたものであり、その目的とするところは、固定金具やネジを用いることなく棚を組立てることのできるショーケース及びその棚組立方法を提供することにある。
【課題を解決するための手段】
【０００６】
本発明は前記目的を達成するために、上面板と下面板との間に断熱材を介在してなる棚板と、棚板の幅方向両端側を支持する棚受とを備え、各棚受をショーケース本体に取付けることにより棚板をショーケース本体の商品収納部内に配置するようにしたショーケースにおいて、前記棚板の断熱材を厚さ方向に伸縮可能な断熱材によって形成し、棚受には厚さ方向に圧縮した断熱材の復元力によって棚板の上面板及び下面板が上下方向に当接する棚板保持部を設けている。
【０００７】
これにより、厚さ方向に伸縮可能に形成された棚板の上面板及び下面板が断熱材の復元力によって棚受の棚板保持部に当接することから、棚板の上面板と下面板とを固定する固定金具やネジ等を必要とすることなく、棚板が組立てられる。
【０００８】
また、本発明では、上面板と下面板との間に断熱材を介在してなる棚板と、棚板の幅方向両端側を支持する棚受とを備え、棚受をショーケース本体に取付けることにより棚板をショーケース本体の商品収納部内に配置するようにしたショーケースの棚組立方法において、前記棚板の上面板と下面板とを断熱材を厚さ方向に圧縮した状態で仮止めするとともに、棚受に設けた上下一対の当接片間に棚板を挿入した後、前記仮止めを解除して上面板及び下面板を各当接片に上下方向に当接させている。
【０００９】
これにより、断熱材を厚さ方向に圧縮した状態で仮止めした棚板の上面板及び下面板が棚受の一対の当接片間に挿入された後に仮止めを解除することによって各当接片間に上下方向に当接することから、棚板の組立作業を容易に行うこと可能となる。
【発明の効果】
【００１０】
本発明によれば、棚板の上面板と下面板とを固定金具やネジによって固定することなくショーケース本体に棚板を組立てることができるので、部品点数及び組立工数の低減を図ることができる。
【発明を実施するための最良の形態】
【００１１】
図１乃至図１０は本発明の一実施形態を示すもので、図１はショーケースの全体斜視図、図２は商品棚の斜視図、図３乃至図８は商品棚をショーケース本体に取付ける工程を示す斜視図、図９はショーケースの要部正面断面図、図１０は棚板を厚さ方向に圧縮した状態を示す棚板の側面断面図である。
【００１２】
このショーケースは、温蔵専用のショーケースであり、縦長に形成されたショーケース本体１０と、ショーケース本体１０内に形成された商品収納部１１内に互いに上下方向に間隔をおいて設けられた複数の商品棚２０とを備えている。
【００１３】
ショーケース本体１０は、商品収納部１１の前面及び背面をそれぞれ開閉する透明ガラス製の扉１２を有し、商品収納部１１の両側面は同じく透明ガラス製の側板１３によってそれぞれ覆われている。各側板１３の背面側の内側には柱状部材をなす枠部材１４がそれぞれ立設され、各枠部材１４の上端には商品収納部１１の上面を覆う天板１５が取付けられている。また、各側板１３からそれぞれ内側に所定の間隔をおいて商品棚２０を取付ける係止板１６が商品収納部１１の側面全体に亘って設けられ、係止板１６には前端側から枠部材１４の前端側まで前後方向に切り欠くことにより、後述する棚受の係止片が係合する係止部１６ａが互いに上下方向に間隔をおいて複数設けられている。
【００１４】
各商品棚２０は、商品が載置される棚板３０と、棚板３０の幅方向両側を支持するとともに、商品収納部１１内に取付けられる一対の棚受４０とから構成されている。
【００１５】
棚板３０は、上面側を形成する上面板３１と、下面側を形成する下面板３２と、内部に充填される断熱材３３と、商品を加熱するヒータ３４とを備えている。
【００１６】
上面板３１は、金属製の板状部材からなり、下面を開口した箱形に形成されている。また、上面板３１の上面前端側には載置した商品の落下を防止する落下防止部３１ａが設けられている。
【００１７】
下面板３２は、上面板３１の幅方向及び前後方向の寸法よりもやや小さく形成され、上面板３１の下面開口部を閉鎖するようになっている。また、下面板３２の前端側及び後端側には幅方向に亘って上方に所定長さ延びるように当接部３２ａが形成され、断熱材３３の所定量以上の圧縮を規制するようになっている。
【００１８】
断熱材３３は、例えばグラスウール等、厚さ方向に伸縮可能な断熱材からなり、下面板３２の幅方向及び前後方向の寸法よりもやや小さく形成されるとともに、厚さ方向の寸法を下面板３２の当接部３２ａの高さ寸法よりも大きく形成されている。
【００１９】
ヒータ３４は、上面板３１の下面側に貼付けられた加熱プレート３４ａの下面側に図示しない電源によって発熱する電熱線３４ｂを設け、上面板３１を下面側から加熱するようになっている。
【００２０】
各棚受４０は前後方向に延びるように形成された部材からなり、その幅方向内側には前後方向に亘って棚板保持部４１が断面コ字状に形成され、棚板保持部４１の上下一対の当接片４１ａ間に棚板３０の上面板３１及び下面板３２が上下方向に当接するようになっている。また、各棚受４０の幅方向外側には係止板１６の係止部１６ａに係止される係止片４２が幅方向外側に延びるように形成されている。
【００２１】
以上のように構成されたショーケースにおいて、ショーケース本体１０に商品棚２０を取付ける場合には、図３に示すように、棚板３０となる下面板３２、断熱材３３、ヒータ３４及び上面板３１を順次重ね合わせる。次に、図４に示すように、棚板３０の厚さ方向から圧力を加えることにより断熱材３４を圧縮した状態で、棚板３０の前端側及び後端側に上面板３１から下面板３２に亘って粘着テープ５０を貼付けて圧縮した状態の棚板３０の厚さ寸法を保持する。更に、図５及び図６に示すように、棚板３０の幅方向両端側を棚受４０の棚板保持部４１の各当接片４１ａ間に挿入した後、粘着テープ５０を取外す。これにより、図７に示すように、断熱材３３の復元力によって棚板３０の厚さ方向の寸法が大きくなり、棚受４０の棚板保持部４１の各当接片４１ａに棚板３０の上面板３１及び下面板３２が上下方向に当接する。このように商品棚２０を組立てた後、図８に示すように、各棚受４０の係止片４２を係止板１６の係止部１６ａに係止することにより、ショーケース本体１０に商品棚２０が取付けられる。
【００２２】
このショーケースにおいて、商品棚２０の幅方向の外形寸法Ｌ1 は幅方向に配置された係止板１６間の距離Ｌ2 とほぼ同等に形成されているので、図９に示すように、商品棚２０はネジ等の固定部材を使用せずに組立てられても、棚受４０から棚板３０が外れたり、棚板３０が分解されることはない。
【００２３】
また、棚板３０を厚さ方向に圧縮すると、図１０に示すように、下面板３２の当接部３２ａが上面板３１の下面に当接することから、厚さ寸法Ｔよりも断熱材３３が圧縮することがない。
【００２４】
このように、本実施形態のショーケースによれば、厚さ方向に伸縮可能に構成した棚板３０の上面板３１及び下面板３２を圧縮した断熱材３３の復元力によって棚受４０の棚板保持部４１に当接させるようにしたので、棚板３０の上面板３１と下面板３２とを固定金具やネジによって固定することなく棚板３０を組立てることができ、部品点数及び組立工数の低減を図ることができる。
【００２５】
また、棚受４０の幅方向の移動を規制するとともに、棚受４０を係止する幅方向一対の係止板１６をショーケース本体１０に設けたので、係止板１６に商品棚２０を係止することにより係止板１６によって棚受４０の幅方向の移動を規制することができ、ショーケース本体１０に商品棚２０を確実に取付けることができる。
【００２６】
また、棚受４０の棚板保持部４１を棚板３０の前後方向に延びる断面コ字状の部材によって形成したので、棚板３０の幅方向両端部と棚受４０との隙間をなくすことができ、棚板３０と棚受４０との間への塵埃の侵入を防止することができるとともに、美観を向上させることができる。
【００２７】
また、下面板３２の少なくとも向かい合う端部に上方に延びる延出部３２ａを設けたので、断熱材３３の所定量以上の圧縮を防止することができ、断熱材３３の必要以上の圧縮による断熱性能の低下を防止することができる。
【００２８】
また、棚板３０を厚さ方向に圧縮した状態で粘着テープ５０により仮止めし、厚さ方向に圧縮された棚板３０の幅方向両端側を各棚受４０の棚板保持部４１に挿入した状態で粘着テープ５０を取り外すことにより棚板３０に各棚受４０を取付けた後、各棚受４０に設けられた係止片４２を係止板１６の係止部１６ａに係止するようにしたので、棚板３０の組立作業を容易に行うことができ、生産性の向上を図ることができる。
【００２９】
尚、前記実施形態では、棚受４０を棚板３０の幅方向両端側のそれぞれに設けたものを示したが、図１１に示すように、棚受６０を一部材から構成し、棚受６０の幅方向両端側の内側にそれぞれ設けられた棚板保持部６１に棚板を取付けるようにしてもよい。この場合、棚受６０は棚板３０の幅方向にずれることにより棚板３０が分解されることはないので、係止板１６を備えていないショーケースにも用いることができる。
【００３０】
また、前記実施形態では、棚受４０の棚板保持部４１に設けられた一対の当接片４１ａに棚板３０の上面板３１及び下面板３２を上下方向に当接させることにより、棚板３０と棚受４０を組立てるようにしたものを示したが、図１２に示すように、棚板７０の上面板７１及び下面板７２と棚受８０の各当接片８１ａにそれぞれ係合部７１ｂ，７２ｂ，８１ｂを設けるようにしてもよい。この場合、棚板７０に棚受８０をより確実に取付けることができる。
【図面の簡単な説明】
【００３１】
【図１】本発明の一実施形態を示すショーケースの全体斜視図
【図２】商品棚の斜視図
【図３】商品棚をショーケース本体に取付ける方法を示す斜視図
【図４】商品棚をショーケース本体に取付ける方法を示す斜視図
【図５】商品棚をショーケース本体に取付ける方法を示す斜視図
【図６】商品棚をショーケース本体に取付ける方法を示す斜視図
【図７】商品棚をショーケース本体に取付ける方法を示す斜視図
【図８】商品棚をショーケース本体に取付ける方法を示す斜視図
【図９】ショーケースの要部正面断面図
【図１０】棚板を厚さ方向に圧縮した状態を示す棚板の側面断面図
【図１１】その他の例を示す商品棚の分解斜視図
【図１２】その他の例を示す棚板の正面断面図
【符号の説明】
【００３２】
１０…ショーケース本体、１６…係止板、１６ａ…係止部、２０…商品棚、３０…棚板、３１…上面板、３２…下面板、３２ａ…当接部、３３…断熱材、４０…棚受、４１…棚板保持部、４１ａ…当接片、４２…係止片、５０…粘着テープ。
【図１】
2006112644.tif 000003
【図２】
2006112644.tif 000004
【図３】
2006112644.tif 000005
【図４】
2006112644.tif 000006
【図５】
2006112644.tif 000007
【図６】
2006112644.tif 000008
【図７】
2006112644.tif 000009
【図８】
2006112644.tif 000010
【図９】
2006112644.tif 000011
【図１０】
2006112644.tif 000012
【図１１】
2006112644.tif 000013
【図１２】
2006112644.tif 000014